(57)【特許請求の範囲】
【請求項１】
１個の受信機接続端子及び１個の入力端子を有し、取付枠に装着して直列ユニットを形成する直列ユニット本体であって、
前記受信機接続端子を前面に設け、下面の左右一方の隅部に前記入力端子を形成すると共に他方隅部を切り欠いて窪み部を形成し、高さを受信機接続端子直径の１．３〜１．７倍としたことを特徴とする直列ユニット本体。
【請求項２】
取付枠に請求項１記載の直列ユニット本体を装着したことを特徴とする直列ユニット。
【請求項３】
取付枠が上下２箇所に直列ユニット本体の装着部を有し、直列ユニット本体２個を、双方の入力端子が対向するように一方を反転して取付枠に装着したことを特徴とする請求項２記載の直列ユニット。
【請求項４】
取付枠が、上下に２箇所直列ユニット本体の装着部を有し、一方の装着部に請求項１記載の直列ユニット本体を装着すると共に、他方の装着部には窪み部が無く入力端子を下面左右に２個設けた直列ユニット本体を装着し、互いの入力端子が対向するように一方を反転して装着し、対向配置した入力端子同士を連結具により連結したことを特徴とする直列ユニット。
【請求項５】
取付枠の直列ユニット本体装着部は、中央に受信機接続端子挿通穴を有すると共に、その左右端部に直列ユニット本体を挟持する挟持壁を突設し、該挟持壁に係止凹部を設け、直列ユニット本体の左右側面に該係止凹部に係止する突起を設けたことを特徴とする請求項２乃至４の何れかに記載の直列ユニット。
【発明の詳細な説明】
【０００１】
【発明の属する技術分野】
本発明は、壁面に設けられ、テレビやラジオ等の宅内共聴用に使用する直列ユニットに関する。
【０００２】
【従来の技術】
図４〜図６は従来の直列ユニットの説明図である。図４は２つの受信機接続端子を有する直列ユニットの斜視図であり、１個の直列ユニット本体２１（以下単に本体と称する）であるシールドケースに２個の受信機接続端子２２が設けられ、本体は前面及び側面を有する枠体２１ａとその裏面を覆う蓋体２１ｂとで形成され、側面には入力端子２５が設けられている。また、前面にはコンセントボックスへ連結するための取付枠２３が上下方向に伸びている。また、２４は本体前面を覆う化粧板である。尚、受信機接続端子はＴＶ端子とも称し、通常Ｆ型コネクタが使用されている。
【０００３】
図５は２つの受信機接続端子２２を有する直列ユニットの従来の他の形態を示す正面図であり、本体２７は背部が開口したダイキャスト製筐体２７ａとその背部を閉塞する蓋板とから成り、２８は筐体２７ａに形成された入力端子である。全体は略Ｔ字状に形成され、前面には別途形成した取付枠２９が連結されている。
【０００４】
また、図６は直列ユニットが１個の受信機接続端子を有する場合に使用する本体であり、１個の受信機接続端子２２を有し、上下方向に薄く形成されている。本体３１は上面が開口したダイキャスト製筐体３１ａと開口部を閉塞する蓋板３１ｂとで形成され、高さを受信機接続端子の直径の略１．５倍で形成し、下面に入力端子３２を有している。また、３３は本体前面を覆う化粧板であり、左右側面に取付枠と連結するための係止突起３４を設けている。
【０００５】
【発明が解決しようとする課題】
このように、従来の直列ユニットは取付枠の形状に応じた複数種類の形状の本体が使用されるため、同一の回路を内蔵させる場合でも異なった本体が必要であった。また、受信機接続端子２２を２個有していても２つの受信機接続端子２２から例えば一方をＢＳ信号、他方をＣＳ信号と異なった信号を出力することができず、その様な場合、図４や図５の構成では直列ユニット自体を２台設置しなければならなかった。
【０００６】
また、図６に示す受信機接続端子２２が１個の直列ユニットと図４，５に示す受信機接続端子２２が２個の直列ユニットでは、本体が全く異なっているため、取付枠が同一のものを使用可能であっても、回路基板を共通化する事はできなかったし、図４のものは本体が比較的大きいために接続ケーブルの引き回しがやりにくいし、シールドケースの機密性が悪くノイズの侵入が発生しやすかった。また、図５のものは、本体下部を細く形成したため接続ケーブル引き回しはし易いが回路収納部が狭かった。
【０００７】
そこで、本発明は上記問題点に鑑み、１個の受信機接続端子を有する直列ユニットと２個の受信機接続端子を有する直列ユニットの構成部材の共通化を可能とし、またケーブルの引き回しをし易くすると共に、互いに異なる信号を出力可能な２つの受信機接続端子を有する直列ユニットを提供することを課題とする。
【０００８】
【課題を解決するための手段】
上記課題を解決するため、請求項１の発明に係る直列ユニット本体は、１個の受信機接続端子及び１個の入力端子を有し、取付枠に装着して直列ユニットを形成する直列ユニット本体であって、前記受信機接続端子を前面に設け、下面の左右一方の隅部に前記入力端子を形成すると共に他方隅部を切り欠いて窪み部を形成し、高さを受信機接続端子直径の１．３〜１．７倍としたことを特徴とする。
【０００９】
請求項２の発明に係る直列ユニットは、取付枠に請求項１記載の直列ユニット本体を装着したことを特徴とする。
【００１０】
請求項３の発明は、請求項２の発明において、取付枠が上下２箇所に直列ユニット本体の装着部を有し、直列ユニット本体２個を、双方の入力端子が対向するように一方を反転して取付枠に装着したことを特徴とする。
【００１１】
請求項４の発明に係る直列ユニットは、取付枠が、上下に２箇所直列ユニット本体の装着部を有し、一方の装着部に請求項１記載の直列ユニット本体を装着し、他方の装着部には窪み部が無く、入力端子を下面左右に２個設けた直列ユニット本体を装着し、互いの入力端子が対向するように一方を反転して装着し、対向配置した入力端子を連結具により連結したことを特徴とする。
【００１２】
請求項５の発明は、請求項２乃至４の何れかの発明において、取付枠の直列ユニット本体装着部は、中央に受信機接続端子挿通穴を有すると共に、その左右端部に直列ユニット本体を挟持する挟持壁を突設し、該挟持壁に係止凹部を設け、直列ユニット本体の左右側面に該係止凹部に係止する突起を設けたことを特徴とする。
【００１３】
【発明の実施の形態】
以下、本発明を具体化した実施の形態を、図面に基づいて詳細に説明する。図１は本発明に係る直列ユニット本体及びその本体を用いた直列ユニットの１例を示す斜視図であり、１が本発明に係る直列ユニット本体（以下、Ｌ字状本体と称する）、２は上記図６に示す直列ユニット本体（以下、薄型本体と称する）、３は取付枠であり、２個の受信機接続端子が同一の信号を送出する形態を示している。
【００１４】
Ｌ字状本体１は上部に開口部を有したダイキャスト製筐体１１と上部開口部を覆う蓋板１２（図２に示す）とから成るシールドケースとして形成され、内部に回路収納部を有し、左後部を切り欠いて窪み部５を設けて全体がＬ字状に形成され、右奥下面には入力端子６が形成されている。但し、図に示すＬ字状本体１は上下反転した状態で取付枠に装着する様子を示し、入力端子６が上向きに配置されている。
そして、取付枠３を介して壁面から突出される受信機接続端子１ａを前面中央に有し、左右側面には取付枠３に装着した際に係止する係止突起１４が設けられ、Ｌ字状本体１の高さＨは受信機接続端子１ａの直径の略１．５倍で形成されている。
尚、この高さＨは、受信機接続端子の１．３〜１．７倍程度が好適であり、１．３倍未満では内部に回路素子や回路基板を組み込み難いし、１．７倍を越えると本体１が大きくなり、入力端子６に接続する接続ケーブルの取り回しがし辛くなってしまう。また、入力端子６は、薄型本体２の入力端子の一方と同一位置に形成されているし、窪み部５は入力端子に接続する同軸ケーブルである信号ケーブルの直径と略等しい大きさで切り欠き形成されている。また、受信機接続端子１ａ及び入力端子６は高周波用コネクタであれば良く、例えばＦ型コネクタが使用される。
【００１５】
取付枠３は、上下２箇所に本体装着部３ａ，３ａを有し、その中央には受信機接続端子挿通部３ｂが形成されている。また、左右側部には本体を挟持し保持するための挟持壁１６が後方に向けて突設されている。そして、その挟持壁１６内には本体の係止突起１４に係合して本体を固定する係止穴１７が設けられている。尚、薄型本体２の下面左右には２個の入力端子１８ａ，１８ｂ（図２に示す）が設けられている。
【００１６】
上記直列ユニットの組み付け手順を図２の本体連結図を基に説明する。図２に示すように、まず双方の本体１，２の対向配置された入力端子６，１８ａ同士を専用に形成した連結具７で連結する。この連結具７は取付枠３に双方の本体１，２を装着した位置関係で互いが連結固定される長さで形成され、接続端子７ａを形成する外被導体は筒体７ｂと一体に金属で形成され、筒体７ｂの中心線位置に芯線接続導体が設けられている。
この連結具７より連結した後、双方の本体１，２を取付枠３に装着する。装着操作は、Ｌ字状本体１と薄型本体２を、夫々の受信機接続端子挿通部３ｂから受信機接続端子１ａ，２ａを挿通するように本体装着部３ａに後方から挿入し、挟持壁１６に挟持させる。こうして、係止突起１４は係止穴１７に係止されて固定される。そして、薄型本体２の他方の入力端子１８ｂに信号ケーブル（図示せず）を接続すれば、２つの受信機接続端子１ａ，２ａから信号を送出させることができる。
【００１７】
このように、本発明に係るＬ字状本体は、上下方向に薄く形成されているため、受信機接続端子を２個取り付け可能な取付枠にも夫々独立して取り付けることができるので、上記図６のような受信機接続端子１個を有する直列ユニットと直列ユニット本体を共用する、即ち図７に示すように従来の化粧板３３にＬ字状本体１を装着することができ、直列ユニットの部品点数を削減できる。また、個々の受信機接続端子に対して回路収納部があるため、回路素子の収納が容易であるし、１個の受信機接続端子を設けた直列ユニットと、２個の受信機接続端子を有した分岐ユニットとで、回路基板の共通化を図ることもできる。
【００１８】
更に、Ｌ字状本体は薄く、また後方隅部には信号ケーブルを挿通可能な窪み部を有するので、信号ケーブルの引き回しがし易く、例えば入力端子１８ｂに接続した信号ケーブルをＬ字状本体１の窪み部５により形成される隙間を通過させることで対向するＬ字状本体１をまたぐことができるので、配線作業が容易である。また、２つの受信機接続端子が同一の信号を送出する場合は、上下の独立した直列ユニット本体同士を連結具で一体化するだけなので、従来の直列ユニットと同様に１本の信号ケーブルを接続するだけでよいし、直列ユニット本体は、取付枠の本体装着部に押し込み操作するだけで取付枠に挟持されると共に係止するため、装着操作が容易である。
尚、連結具７は上述する専用形状でなくとも良く、短い同軸ケーブルを用意してその両端に入力端子に対応したプラグ型同軸コネクタを設けて形成しても良い。
【００１９】
図３は直列ユニットの他の形態を示し、要部本体部の斜視図である。Ｌ字状本体１を２個用いて直列ユニットを形成し、この場合下方のＬ字状本体１を反転させて取付枠３に装着し、夫々の入力端子６に異なった信号ケーブル９を接続している。
このように、Ｌ字状本体を２個使用することで夫々の受信機接続端子から異なった信号を送出させることができ、例えば一方の受信機接続端子でＢＳ放送を送出し、他方の受信機接続端子でＣＳ放送を送出することができる。また、本体後部の一端に窪み部を設けることで、接続した信号ケーブルの取り回しがし易く、接続作業がし易い。
【００２０】
尚、窪み部と入力端子は左右反転して形成しても良い。また、取付枠３に直列ユニット本体を１個のみ取り付ける場合、取付枠作成金型にスライド金型を用いることで、直列ユニット本体を取り付けない本体装着部３ａの挟持壁１６を作成しないようにすることを容易に行うことができ、そうすることでケーブルの引き回しスペースを更に広くできるし、直列ユニット本体の装着もし易くなる。
【００２１】
【発明の効果】
以上詳述したように、請求項１の発明に係る直列ユニット本体によれば、薄く形成されまた窪み部を有するため、受信機接続端子を２個取り付け可能な取付枠にも夫々独立して直列ユニット本体を取り付けることができるので、受信機接続端子１個の取付枠と直列ユニット本体を共用することができる。また、部品点数を削減できるし、接続ケーブルの取り回しもし易い。更に、回路基板を収納可能な高さを有するので回路を組み込み易い。
【００２２】
請求項２の発明に係る直列ユニットによれば、接続ケーブル引き回し空間を大きく取ることができ、ケーブルの接続作業がし易い。
【００２３】
請求項３の発明によれば、請求項２の効果に加えて、１個の取付枠に装着した２個の直列ユニット本体に夫々独立した同軸ケーブルを接続することができ、そうすることで、例えば一方の受信機接続端子でＢＳ放送を送出し、他方の受信機接続端子でＣＳ放送を送出することができ１個の直列ユニットで２種類の信号を送出できる。
【００２４】
請求項４の発明によれば、上下の独立した直列ユニット本体同士の一体化が可能であり、２つの受信機接続端子が同一の信号を送出する場合は、従来の直列ユニットと同様に１本の接続ケーブルを接続するだけでよい。
【００２５】
請求項５の発明によれば、請求項２乃至４の何れかの効果に加えて、直列ユニット本体は、取付枠の本体装着部に挿入操作するだけで取付枠に挟持されると共に係止するので、装着操作が容易である。
【図面の簡単な説明】
【図１】本発明に係る直列ユニット本体及び直列ユニットの実施の形態の１例を示す分解斜視図である。
【図２】図１の直列ユニット本体同士の連結形態を示す斜視説明図である。
【図３】本発明の直列ユニットの他の形態を示す要部斜視図である。
【図４】従来の直列ユニットの１例を示す斜視図である。
【図５】従来の直列ユニットの他の例を示す正面図である。
【図６】従来の直列ユニットの他の例を示す直列ユニット本体の斜視図である。
【図７】図１の直列ユニット本体を図６の化粧板に装着する様子を示す斜視図である。
【符号の説明】
１・・Ｌ字状本体（直列ユニット本体）、１ａ・・受信機接続端子、３・・取付枠、３ａ・・本体装着部、５・・窪み部、６・・入力端子、１１・筐体、１２・・蓋体、１４・・係止突起、１６・・挟持壁、１７・・係止穴。
【図１】
0004394259.tif 000002
【図２】
0004394259.tif 000003
【図３】
0004394259.tif 000004
【図４】
0004394259.tif 000005
【図５】
0004394259.tif 000006
【図６】
0004394259.tif 000007
【図７】
0004394259.tif 000008